(57)【特許請求の範囲】
【請求項１】
クリーム状内容物(A) を収納する壜体状の容器本体(1) の口部(6) に、前記内容物(A) を吸上げて注出する手動ポンプ(10)を装着し、前記容器本体(1) 内に、前記クリーム状内容物(A) 上に載置するリング板状の押え蓋(20)を昇降変位可能に装着した注出容器であって、前記押え蓋(20)を、リング板状をした硬質材製の蓋板(21)と、該蓋板(21)の内周縁に密に組付いて、前記手動ポンプ(10)の吸上げパイプ(13)に緩く外嵌する円筒状の内筒片(23)の内周面下部に、前記吸上げパイプ(13)の外周面に弾力的に密摺接して、空気の下方への通過を防止する内鍔状のシール片(24)を周設し、前記内筒片(23)の内周面の少なくとも上部に、前記吸上げパイプ(13)に対向する複数の傾斜防止リブ(25)を等間隔に突設した軟質弾性材製のシールリング(22)と、から構成し、前記内筒片(23)の縦方向中間部から外鍔状のフランジ(26)を周設し、該フランジ(26)の外周端から、内筒片(23)との間に弾性変位用の間隙を設けて、前記蓋板(21)の内周縁が密に組付く弾性筒片(27)を垂下設し、該弾性筒片(27)の下端部から外鍔状に前記蓋板(21)を支持する底板(28)を設け、前記弾性筒片(27)の外周面に、上方から前記蓋板(21)に係止する係止突条(29)を周設した注出容器。
【請求項２】
傾斜防止リブ(25)を、内筒片(23)の内周面上部から内周面下部まで縦貫突条状に連設し、該傾斜防止リブ(25)の下端両側のシール片(24)に、切欠部(24a) を設けた請求項１記載の注出容器。
【請求項３】
縦貫突条状の傾斜防止リブ(25)の先端部に、内筒片(23)の中央側に傾斜した弾性変位可能な傾斜弾片(25a) を一体形成し、シール片(24)の一端部に、弾性変位した傾斜弾片(25a) を当接する窪み状の受部(24b) を設けた請求項２記載の注出容器。
【請求項４】
内筒片(23)の上端部に、外鍔状の摘み片(30)を周設した請求項１、２または３記載の注出容器。
【発明の詳細な説明】
【０００１】
【発明の属する技術分野】
本発明は、粘度の比較的高いクリーム状の内容物を、手動ポンプを利用して注出する注出容器に関するものである。
【０００２】
【従来の技術】
クリーム状内容物を、手動ポンプを利用して注出するこの種の注出容器の従来技術として、有底筒状の容器本体に、該容器本体の内底に向けて吸上開口をもつ吸上パイプを連結したポンプ機構を設け、前記容器本体内に、該吸上パイプに対して摺動可能に挿通し、内容物の吸上にともなって、内容物の液面に密着して吸上パイプに沿って移動する押え蓋を設けたものが知られている。
【０００３】
この押え蓋は、容器本体内の内容物が、流動性の悪いクリーム状物であるため、その吸い上げに伴って、吸上パイプの吸上開口が位置する下端から内容物の上面に至る空孔が吸上パイプの周囲に形成され、その結果、この空孔を通過した空気の混入により、内容物の円滑な注出が阻害されてしまうことを防止するためのものである。押え蓋で、内容物の上面を押えることにより、手動ポンプの内容物吸い上げに伴う負圧の影響を、内容物全体に均一に作用させ、これにより内容物吸上げに伴う負圧が、内容物の一部に偏って作用することにより形成される空孔の発生を阻止して、内容物の良好な注出動作を維持する。
【０００４】
また、内容物の粘度が大きい場合には、内容物の吸い上げに伴う、負圧の偏った作用時間が長く、これにより押え蓋自体が変形してしまう恐れがあるので、押え蓋の主体部分を硬質材製とし、吸上パイプに密接する部分（内周端縁部分）を軟質弾性材製とすることにより、負圧により変形することなく、吸上パイプに対する密摺動可能な組付きを維持できるようにしている。
【０００５】
特開２０００−２１９２８４号公報には、押え蓋を、リング板状の硬質材製の蓋板と、該蓋板の内周縁に密に組付いて、吸上げパイプに緩く外嵌する円筒状の内筒片の内周面下端に、内鍔状のシール片を周設したポリエステル系エラストマー製のシールリングと、から構成した注出容器が開示されている。
【０００６】
前述の注出容器は、シールリングの内筒片に設けたシール片が、中央側を上昇傾斜させた状態で吸い上げパイプの外周面に弾力的に密摺接し、負圧が作用した際の吸い上げパイプに対するシール片の圧接を強めて空気の下方への通過を確実に阻止するとともに、シールリングの内筒片に組付いて内容物の上面の略全域を覆っている蓋板が、内容物の吸い上げに伴って不均一に作用する負圧を変形することなく受け止めて、蓋板が略水平姿勢を保持しながら内容物の上面全域を略均一に押圧し、流動性の悪いクリーム状内容物を最後まで円滑かつ確実に注出できるようにしている。
【０００７】
押え蓋が下降変位する際に、負圧の不均一な作用により押え蓋が傾くことがあるが、手動ポンプの吸上げパイプに対向する押え蓋部分は、ポリエステル系エラストマー製のシールリングだけであるので、例え傾いても押え蓋が吸上げパイプに弾性的に押圧されるだけで、カジリ状に引っ掛かることはなく、押え蓋は円滑かつ確実に下降変位することになる。
【０００８】
【発明が解決しようとする課題】
しかしながら、クリーム状内容物を充填した注出容器が、輸送途中等において傾倒状態となった場合、吸上げパイプに密摺接しているシール片のみでは、吸上げパイプに対する押え蓋の傾斜を防止できず、吸上げパイプに対して押え蓋が傾斜して、蓋板と容器本体の内壁との隙間が大きくなり、この隙間から粘度の大きいクリーム状の内容物が蓋板を越えて押え蓋の上部に流動する、と云う問題がある。
【０００９】
内容物が、流動性の悪いクリーム状物であるがゆえに、一度蓋板を越えて押え蓋よりも上部に流動してしまうと、傾倒状態の注出容器を起立させても、内容物が押え蓋の上部に留まったまま下部には戻らず、内容物が押え蓋の上部に残存したまま、内容物を最後まで使い切ることができない、と云う問題がある。
【００１０】
また、蓋板を越えて押え蓋の上部に流動した粘度の高い内容物は、注出容器を起立させても下部に戻らないため、押え蓋と内容物との間に空孔が発生して、押え蓋が傾斜した状態のままとなり、傾斜した押え蓋では、内容物の上面全域を略均一に押圧することができないため、内容物の吸い上げに伴って発生する不均一な負圧が内容物の上面に偏って作用し、流動性の悪い内容物の円滑な注出が阻害される、と云う問題を生じる。
【００１１】
そこで、本発明は、上述の問題点を解消すべく創案されたもので、手動ポンプを有する容器本体内に内容物の押え蓋を設けた注出容器において、押え蓋の傾斜を防止することを技術的課題とし、もって粘度の大きいクリーム状内容物を最後まで円滑かつ確実に注出できる注出容器を提供することを目的とする。
【００１２】
【課題を解決するための手段】
上記技術的課題を解決する本発明の内、請求項１記載の発明の手段は、
クリーム状内容物を収納する壜体状の容器本体の口部に、内容物を吸い上げて注出する手動ポンプを装着し、容器本体内に、クリーム状内容物上に載置するリング板状の押え蓋を昇降変位可能に装着した注出容器であること、押え蓋を、リング板状をした硬質材製の蓋板と、該蓋板の内周縁に密に組付いて、手動ポンプの吸上げパイプに緩く外嵌する円筒状の内筒片の内周面下部に、吸上げパイプの外周面に弾力的に密摺接して、空気の下方への通過を防止する内鍔状のシール片を周設し、内筒片の内周面の少なくとも上部に、吸上げパイプに対向する複数の傾斜防止リブを等間隔に突設した軟質弾性材製のシールリングと、から構成したこと、内筒片の縦方向中間部から外鍔状のフランジを周設したこと、このフランジの外周端から、内筒片との間に弾性変位用の間隙を設けて、蓋板の内周縁が密に組付く弾性筒片を垂下設したこと、この弾性筒片の下端部から外鍔状に蓋板を支持する底板を設けたこと、弾性筒片の外周面に、上方から蓋板に係止する係止突条を周設したこと、にある。
【００１３】
請求項１記載の発明にあっては、シールリングの内筒片の内周面の少なくとも上部に、吸上げパイプに対向する複数の傾斜防止リブを突設したため、注出容器が傾倒状態となった場合に、傾斜防止リブが吸上げパイプの外周面に当接して、シールリングを支持し、押え蓋全体の傾斜を防止することができる。
【００１４】
また、内容物の吸い上げに伴う不均一な負圧が、押え蓋に作用した場合であっても、傾斜防止リブが吸上げパイプの外周面に当接して、押え蓋の傾斜を防止するため、吸上げパイプに対して蓋板の略水平姿勢を保持した状態で、押え蓋が、内容物の注出に伴って発生する不均一な負圧を内容物の上面全域に略均一に作用させ、流動性の悪いクリーム状内容物を最後まで円滑かつ確実に、手動ポンプから注出することができる。
【００１５】
軟質弾性材製のシールリングの内筒片に、傾斜防止リブを一体形成したため、傾斜防止リブは、吸上げパイプの外周面に弾接してカジリ状に引っ掛かることはなく、押え蓋が安定かつ円滑に下降変位する。
【００１６】
蓋板は、内筒片からフランジを介して、弾性変位用の間隙を設けたシールリングの弾性筒片に密に組付くため、弾性筒片の弾圧性により、蓋板の外周縁が容器本体に近接した状態を維持する。また、容器本体が傾倒状態となって、蓋板の外周縁が容器本体に弾接した場合であっても、容器本体を起立した状態に戻すと、弾接筒片が弾性復帰し、再び、蓋板の外周縁が容器本体に近接した状態を安定に維持する。
【００１７】
請求項２記載の発明の手段は、請求項１記載の発明の構成に加え、傾斜防止リブを、内筒片の内周面上部から内周面下部まで縦貫突条状に連設したこと、該傾斜防止リブの下端両側のシール片に、切欠部を設けたこと、にある。
【００１８】
請求項２記載の発明にあっては、縦貫突条状に傾斜防止リブを連設したため、傾倒状態の注出容器内において、吸上げパイプの長手方向に沿って、縦貫突条状の傾斜防止リブが吸上げパイプに当接して、押え蓋の傾斜を確実に防止する。
【００１９】
傾斜防止リブの下端両側のシール片には、切欠部を設けたため、吸上げパイプに対して中央側を上昇傾斜させて組付く、吸上げパイプに対するシール片の弾圧性を確保できる。
【００２０】
また、シール片に切欠部を設けたため、縦貫突条状の傾斜防止リブとシール片とを設けたシールリングを、単純な割金型であるコア金型を用いて成形できる。
【００２１】
請求項３記載の発明の手段は、請求項２記載の発明の構成に加え、縦貫突条状の傾斜防止リブの先端部に、内筒片の中央側に傾斜した弾性変位可能な傾斜弾片を一体形成したこと、シール片の一端部に、弾性変位した傾斜弾片を当接する窪み状の受部を設けたこと、にある。
【００２２】
請求項３記載の発明にあっては、縦貫突条状の傾斜防止リブの先端部に、弾性変位可能な傾斜弾片を一体形成したため、注出容器が傾倒状態となった場合に、傾斜防止リブ及び傾斜弾片が吸上げパイプの外周面に弾圧接して、押え蓋の傾斜を防止するとともに、起立状態の注出容器においても、傾斜弾片が吸上げパイプの外周面に弾接して、蓋板の略水平姿勢を維持した吸上げパイプに対する押え蓋の組付き状態を保持し、該押え蓋で、内容物の吸上げに伴って発生する不均一な負圧を内容物の上面略全域に作用させて、内容物の消費にしたがった押え蓋の円滑な下降変位を達成する。
【００２３】
起立状態の注出容器において、傾斜弾片が吸上げパイプに弾接した状態であっても、シール片の一端部に設けた窪み状の受部で、弾性変位した傾斜弾片を当接するため、傾斜弾片が吸上げパイプにカジリ状に引っ掛かることなく、押え蓋の円滑な下降変位を持続する。また、弾性変位した傾斜弾片をシール片の窪み状の受部に当接したため、吸上げパイプに対するシール片の弾圧性を妨げることなく、内容物の吸い上げに伴って、吸上げパイプ周辺部の内容物に空孔が発生するような不都合を生じない。
【００２４】
請求項４記載の発明の手段は、請求項１、２または３記載の発明の構成に加え、内筒片の上端部に、外鍔状の摘み片を周設したこと、にある。
【００２５】
請求項４記載の発明にあっては、内筒片の上端部に外鍔状の摘み片を周設したため、内容物の注出にしたがって、シール片が吸い上げパイプに密摺接した状態で下降変位し、注出容器の底部に密着した押え蓋を、摘み片を把持して、簡単に容器本体の底部から取り外すことができる。
【００２６】
【発明の実施の形態】
以下、本発明の実施例を、図面を参照しながら説明する。図１に示すように、容器本体１は、胴部２と底部３とから成る主体部１ａと、この胴部２の上端部外周に螺合する組付き筒４と肩部５と口部６とから成るヘッド部１ｂとから構成されている。
【００２７】
ヘッド部１ｂの口部６には、この口部６の外周に螺合する装着筒７を介して、縦型手動ポンプ１０が装着されており、ポンプ１０上端の押下げヘッド１１を上下動させることにより、下端に連結した吸上げパイプ１３を介してクリーム状内容物Ａを吸い上げ、押下げヘッド１１の注出ノズル１２から注出するようになっている。
【００２８】
押え蓋２０は、硬質の合成樹脂等から成るリング板状の蓋板２１と、この蓋板２１の内周縁が密に組付く軟質弾性材であるポリエステル系エラストマー製のシールリング２２とから構成されている。
【００２９】
図２乃至図４は、シールリング２２の第一の実施例を示し、図２は、一部を破断したシールリング２２の斜視図、図３は、押え蓋２０の一部拡大縦断面図、図４は、シールリング２２の平面図を示す。
【００３０】
図２及び図３に示すように、シールリング２２は、吸上げパイプ１３に緩く外嵌する円筒状の内筒片２３の内周面下部に、吸上げパイプ１３の外周面に弾力的に密摺接して、空気の下方への通過を防止する内鍔状のシール片２４を突周設し、内周面上部には、吸上げパイプ１３に対向する複数の傾斜防止リブ２５を等間隔に突設している。
【００３１】
内筒片２３の外周面の縦方向中間部には、外鍔状のフランジ２６を周設し、該フランジ２６の外周端から、内筒片２３との間に弾性変位用の間隙を設けて円筒状の弾性筒片２７を垂下設し、該弾性筒片２７の外周面下端部から外鍔状に底板２８を設け、弾性筒片２７の外周面の上部に、上方から蓋板２１を係止する係止突条２９を周設する。また、シールリング２２の内筒片２３の上端部には、外鍔状の摘み片３０を周設している。
【００３２】
シールリング２２は、蓋板２１の内周縁が、弾性筒片２７の外周面に密に組付くとともに、底板２８と係止突条２９で蓋板２１を係止し、蓋板２１とシールリング２２との組付き固定を達成している。
【００３３】
蓋板２１が、内筒片２３からフランジ２６を介して弾性変位用の間隙を設けた弾性筒片２７に組付き固定されているため、弾性筒片２７の弾圧性により、蓋板２１の外周縁が、容器本体１の胴部２の内面に近接した状態を維持して、押え蓋２０が下降変位する。
【００３４】
注出容器１が傾倒状態となって、蓋板２１の外周縁が、容器本体１の胴部２の内面に弾圧接された場合であっても、注出容器１を再び起立させると、弾性筒片２７が弾性復帰し、蓋板２１の外周縁が容器本体１の胴部２の内面に近接した状態を維持する。
【００３５】
シールリング２２のシール片２４は、吸上げパイプ１３に弾性変形して密摺接し、中央側を上昇傾斜させた組付き姿勢となるため、内容物Aの吸い上げに伴い、負圧が作用した際に、吸上げパイプ１３に対するシール片２４の圧接が強まり、これにより吸上げパイプ１３とシール片２４とのシール性が確保されて、負圧による空孔の発生を確実に防止することになる。
【００３６】
なお、中央側を上昇傾斜させたシール片２４の吸上げパイプ１３に対する組付き姿勢は、吸上げパイプ１３に組付いた押え蓋２０が下降変位することにより必然的に得られるものである。
【００３７】
シールリング２２は、押え蓋２０の速やかで正確な下降変位を実現するため、シール片２４のみが吸上げパイプ１３に密摺接し、内筒片２３が吸上げパイプ１３から所定距離離間して、緩く外嵌している。
【００３８】
搬送途中の状況により、容器本体１が横倒しの状態となると、吸上げパイプ１３に弾力的に密摺接しているシール片２４のみでは、シールリング２２に緩く外嵌している内筒片２３を保持できず、シールリング２２が吸上げパイプ１３方向に傾くため、押え蓋２０全体が傾斜することになる。
【００３９】
容器本体１の傾倒状態に伴って、シールリング２２の吸上げパイプ１３方向の傾こうとすると、吸上げパイプ１３に対向する傾斜防止リブ２５が、吸上げパイプ１３の外周面に当接してシールリング２２を支持するため、押え蓋２０全体の傾斜を防止できる。
【００４０】
容器本体１が傾倒状態となっても、容器本体１内の押え蓋２０が傾斜しないため、粘度の高いクリーム状の内容物Aが、蓋板２１を越えて、押え蓋２０よりも容器本体１の上部に流動することはなく、吸上げパイプ１３に対する蓋板２１の略水平姿勢を保持した押え蓋２０で、内容物Ａの吸い上げに伴って発生する不均一な負圧を内容物Ａの上面全域に略均一に作用させて、良好な注出動作を維持することができ、流動性の悪いクリーム状内容物Aを最後まで円滑かつ確実に、手動ポンプ１０から注出する。
【００４１】
容器本体１の内容物Aを最後まで円滑に注出すると、押え蓋２０は、吸上げパイプ１３の下降限まで下降変位し、容器本体１の底部３に密着する。容器本体１を再利用する際には、組付き筒４を胴部２の上端部から螺脱して、ヘッド部１ｂを主体部１ａから離間し、主体部１ａの底部３に密着している押え蓋２０の摘み片３０を把持して、簡単に押え蓋２０を底部３から取り外すことができ、内容物Ａを再び注出容器に充填して再利用する際に、便利である。
【００４２】
図５乃至図７は、シールリング２２の第二の実施例を示し、図５は、一部を破断したシールリング２２の斜視図、図６は、シールリング２２の平面図、図７は押え蓋２０の一部拡大縦断面図を示す。
【００４３】
図５乃至図７に示すように、シールリング２２は、内筒片２３の内周面上部から内周面下部まで縦貫突条状に傾斜防止リブ２５を連設し、傾斜防止リブ２５の下端両側のシール片２４に、傾斜防止リブ２５とシール片２４を切断する、切欠部２４ａを設けている。
【００４４】
容器本体１が傾倒状態となった場合、吸上げパイプ１３の長手方向に沿って、縦貫突条状の傾斜防止リブ２５が、吸上げパイプ１３の外周面に当接して、シールリング２２を支持し、押え蓋２０全体の傾斜を確実に防止する。
【００４５】
傾斜防止リブ２５の下端両側のシール片２４には、傾斜防止リブ２５とシール片２４を切断する切欠部２４ａを設けたため、シール片２４の吸上げパイプ１３に対する弾圧性を確保し、吸上げパイプに対して中央側を上昇傾斜させて密に組付く、シール片２４の組付き状態を維持する。
【００４６】
シール片２４に設けた切欠部２４ａは、極微小であるため、切欠部２４ａを通じて空気が下方へ通過しにくく、また、切欠部２４ａ以外の部分のシール片２４が吸上げパイプ１３の外周面に弾力的に密摺接して空気の下方への通過を阻止しているため、押え蓋２０と内容物Ａとの間に空孔がほとんど発生せず、手動ポンプ１０の内容物の吸い上げに伴い発生する負圧を、押え蓋２０で内容物Ａ全体に均一に作用させ、内容物Ａの良好な注出動作を維持する。
【００４７】
また、切欠部２４ａを設けたため、内筒片２３の内周面に縦貫突条状の傾斜防止リブ２５とシール片２４とを設けたシールリング２２を、単純な割金型であるコア金型を用いて成形できる。
【００４８】
図８及び図９は、シールリング２２の第三の実施例を示し、図８は、一部を破断したシールリング２２の斜視図、図９は、シールリング２２の平面図を示す。
【００４９】
図８及び図９に示すように、シールリング２２は、内筒片２３の内周面上部から内周面下部まで縦貫突条状に連設した傾斜防止リブ２５の先端部に、内筒片２３の中央側に傾斜した、弾性変位可能な傾斜弾片２５ａを一体形成している。
【００５０】
そして、傾斜防止リブ２５の下端両側のシール片２４には、傾斜防止リブ２５とシール片２４とを切断する切欠部２４ａを設けるとともに、切欠部２４ａで切断されたシール片２４の一端部に、弾性変位した傾斜弾片２５ａを当接する窪み状の受部２４ｂを設けている。
【００５１】
容器本体１が傾倒状態となった場合は、吸上げパイプ１３の長手方向に沿って、縦貫突条状の傾斜防止リブ２５及び傾斜弾片２５ａが、吸上げパイプ１３の外周面に弾圧接し、シールリング２２を支持して、押え蓋２０全体の傾斜を確実に防止する。
【００５２】
容器本体１が起立状態の場合であっても、傾斜弾片２５ａが吸上げパイプ１３に弾接し、蓋板の略水平姿勢を維持した吸上げパイプ１３に対する押え蓋２０の組付き状態を保持するため、該押え蓋２０で、内容物Ａの吸い上げに伴い発生する不均一な負圧を内容物Ａの上面略全域に作用させて、内容物Ａの消費にしたがった押え蓋２０の円滑な下降変位を実現する。
【００５３】
シール片２４の一端部には、吸上げパイプ１３に弾接して弾性変位した傾斜弾片２５ａを当接する窪み状の受部２４ｂを設けたため、吸上げパイプ１３に当接した傾斜弾片２５ａが吸上げパイプ１３にカジリ状に引っ掛かることはない。また、弾性変位した傾斜弾片２５ａを、シール片２４の受部２４ｂに当接するため、吸上げパイプ１３に対するシール片２４の弾圧性を妨げることなく、内容物Ａの吸い上げに伴って、吸上げパイプ１３周辺部の内容物Ａに空孔が発生するような不都合を生じない。
【００５４】
【発明の効果】
本発明は、上記した構成となっているので、以下に示す効果を奏する。請求項１記載の発明にあっては、注出容器が傾倒状態となった場合であっても、シールリングの内筒片の内周面に突設した傾斜防止リブが、吸上げパイプの外周面に当接して、シールリングを支持するため、押え蓋の傾斜を確実に防止することができ、傾倒状態となった注出容器内で、内容物が蓋板を越えて押え蓋よりも上部に流動することはなく、蓋板の略水平姿勢を保持した押え蓋で、内容物の吸い上げに伴い発生する不均一な負圧を内容物の上面全域に略均一に作用させ、押え蓋の円滑かつ安定な下降変位動作により、流動性の悪いクリーム状内容物を最後まで円滑かつ確実に注出することができる。
【００５５】
傾斜防止リブは、軟質弾性材製のシールリングに一体成形したため、傾斜防止リブが吸上げパイプに当接した場合であっても、吸上げパイプにカジリ状に引っ掛かることはなく、押え蓋の円滑かつ安定な下降変位を維持する。
【００５６】
蓋板が、弾性変位用の間隙を設けた弾性筒片に密に組付くため、弾性筒片の弾圧性により、粘度の高い内容物が蓋板を越えて、蓋板よりも上部に流動することなく、蓋板の外周縁が容器本体に近接した状態を安定に維持する。
【００５７】
請求項２記載の発明にあっては、内筒片の内周面上部から内周面下部まで縦貫突条状に傾斜防止リブを連設したため、吸上げパイプの長手方向に沿って、傾斜防止リブが吸上げパイプの外周面に当接し、シールリングを支持して、押え蓋の傾斜を確実に防止する。
【００５８】
傾斜防止リブの下端両側のシール片には、傾斜防止リブとシール片とを切断する切欠部を設けたため、吸上げパイプに対して中央側を上昇傾斜させた状態で組付くシール片の弾圧性が確保される。
【００５９】
また、シール片に切欠部を設けたため、縦貫突条状の傾斜防止リブとシール片とを設けたシールリングを、単純な割金型であるコア金型を用いて容易に成形できる。
【００６０】
請求項３記載の発明にあっては、注出容器が傾倒状態となった場合に、縦貫突条状の傾斜防止リブ及び傾斜弾片が、吸上げパイプの長手方向に沿って、吸上げパイプの外周面に弾圧接し、シールリングを支持して、押え蓋の傾斜を確実に防止するとともに、注出容器が起立状態の場合であっても、傾斜弾片が吸上げパイプに弾接して、蓋板の略水平姿勢を維持した吸上げパイプに対する押え蓋の組付き状態を保持し、該押え蓋で、内容物の吸上げに伴って発生する不均一な負圧を内容物の上面略全域に作用させて、内容物の消費にしたがった押え蓋の円滑な下降変位を確実に達成する。
【００６１】
シール片には、弾性変位した傾斜弾片を当接する窪み状の受部を設けたため、吸上げパイプに弾接して弾性変位した傾斜弾片が、吸上げパイプにカジリ状に引っ掛かることはなく、また、吸上げパイプに対するシール片の弾圧性が妨げられることなく、押え蓋の円滑かつ安定な下降変位動作を達成する。
【００６２】
請求項４記載の発明にあっては、内筒片の上端部に外鍔状の摘み片を周設したため、内容物の注出にしたがって、吸上げパイプの下降限まで下降変位し、容器本体の底部に密着した押え蓋を、摘み片を把持して、簡単に容器本体の底部から取り外すことができ、注出容器の再利用時に便利である。
【図面の簡単な説明】
【図１】本発明の一実施例を示す、注出容器の要部を破断した全体側面図。
【図２】本発明のシールリングの第一の実施例を示す、一部を破断した斜視図。
【図３】図２のシールリングの組付き状態を示す、押え蓋の一部縦断面図。
【図４】図２のシールリングの平面図。
【図５】本発明のシールリングの第二の実施例を示す、一部破断した斜視図。
【図６】図５のシールリングの平面図。
【図７】図５のシールリングの組付き状態を示す、押え蓋の一部縦断面図。
【図８】本発明のシールリングの第三の実施例を示す、一部破断した斜視図。
【図９】図８のシールリングの平面図。
【符号の説明】
１ ； 注出容器
１ａ ； 主体部
１ｂ ； ヘッド部
２ ； 胴部
３ ； 底部
４ ； 組付き筒
５ ； 肩部
６ ； 口部
７ ； 装着筒
１０ ； 縦型手動ポンプ
１１ ； 押下げヘッド
１２ ； 注出ノズル
１３ ； 吸上げパイプ
２０ ； 押え蓋
２１ ； 蓋板
２２ ； シールリング
２３ ； 内筒片
２４ ； シール片
２４ａ； 切欠部
２４ｂ； 受部
２５ ； 傾斜防止リブ
２５ａ； 傾斜弾片
２６ ； フランジ
２７ ； 弾性筒片
２８ ； 底板
２９ ； 係止突条
３０ ； 摘み片
【図１】
0003979633.tif 000002
【図２】
0003979633.tif 000003
【図３】
0003979633.tif 000004
【図４】
0003979633.tif 000005
【図５】
0003979633.tif 000006
【図６】
0003979633.tif 000007
【図７】
0003979633.tif 000008
【図８】
0003979633.tif 000009
【図９】
0003979633.tif 000010